(57)【要約】【課題】簡易な構成で収容容器の取り外しを促すことができる記録装置を提供する。【解決手段】記録装置１１は、媒体Ｓに記録を行う記録部と、記録部を収容する筐体部１２と、手掛部３８を有して、筐体部１２に引き出し可能に収容される引き出しユニット１６と、筐体部１２内において媒体Ｓを切断するカッターと、カッターによる切断に伴って生じる媒体Ｓの切断片を収容可能な収容部２８を有して、筐体部１２に着脱可能に取り付けられる収容容器１７と、を備え、収容容器１７は、筐体部１２への取付時に、筐体部１２に収容された引き出しユニット１６の手掛部３８を覆う一方、筐体部１２から取り外されることで、筐体部１２に収容された引き出しユニット１６の手掛部３８を露出させる。【選択図】図１
2014124803.tif 000002
【特許請求の範囲】
【請求項１】
媒体に記録を行う記録部と、
該記録部を収容する筐体部と、
手掛部を有して、前記筐体部に引き出し可能に収容される引き出しユニットと、
前記筐体部内において前記媒体を切断するカッターと、
該カッターによる切断に伴って生じる前記媒体の切断片を収容可能な収容部を有して、前記筐体部に着脱可能に取り付けられる収容容器と、を備え、
前記収容容器は、前記筐体部への取付時に、前記筐体部に収容された前記引き出しユニットの前記手掛部を覆う一方、前記筐体部から取り外されることで、前記筐体部に収容された前記引き出しユニットの前記手掛部を露出させることを特徴とする記録装置。
【請求項２】
前記引き出しユニットは、前記媒体を円筒状に巻き重ねたロール体を回転可能な状態で支持する側壁部と、前記筐体部からの引き出し方向において前記ロール体よりも前方に位置する前板部とを有し、
前記手掛部は前記前板部に配置され、かつ、前記前板部は前記ロール体の回転中心よりも重力方向において下方に配置されていることを特徴とする請求項１に記載の記録装置。
【請求項３】
前記引き出しユニットは前記筐体部に形成された開口部を通じて引き出され、
前記収容容器は、前記筐体部への取付時に前記開口部を覆う外壁部と、該外壁部との間に前記収容部を形成する内壁部とを有していることを特徴とする請求項１または請求項２に記載の記録装置。
【請求項４】
前記収容容器の取付時に、前記開口部が前記外壁部及び前記前板部によって覆われ、かつ、前記外壁部の外面は前記前板部の外面と面一になることを特徴とする請求項３に記載の記録装置。
【請求項５】
前記収容容器は、前記筐体部に収容された前記引き出しユニットの前記前板部と重力方向に並ぶ位置に取り付けられ、前記外壁部と前記前板部とは、重力方向及び前記引き出しユニットの引き出し方向の双方と交差する幅方向における長さが等しいことを特徴とする請求項３または請求項４に記載の記録装置。
【発明の詳細な説明】
【技術分野】
【０００１】
本発明は、媒体の切断に伴って生じる切断片を収容する収容容器を備える記録装置に関する。
【背景技術】
【０００２】
記録装置の一例として、長尺状の用紙を円筒状に巻き重ねたロール体の状態で収容する引き出し部と、印刷が行われた用紙を切断するカッターと、用紙の切断に伴って生じる切りくずなどの切断片を収容する収容容器とを備えるプリンターがある。
【０００３】
こうしたプリンターにおいては、収容容器に溜まった切断片が溢れると筐体部内に飛散してしまうので、収容容器の中身を出す機会を設けるために、ロール体を交換するタイミングで収容容器の取り外しを促す構成が提案されている。例えば、引き出し部から収容容器を取り外した上で、引き出し部の上部に配置されたローラーを、収容容器を装着していた位置に移動させなければ、ロール体を交換できないようにしたプリンターがある（例えば、特許文献１）。
【先行技術文献】
【特許文献】
【０００４】
【特許文献１】特開２００３−１８２１７２号公報
【発明の概要】
【発明が解決しようとする課題】
【０００５】
ところで、上述のプリンターは、収容容器の取り外しを促すために、ローラーを支持する回動板や、回動板を係止する係止機構、さらに回動板を手動で操作するための操作棒などを備えているため、装置の構成が複雑になってしまうという課題がある。
【０００６】
なお、こうした課題は、用紙に印刷を行うプリンターに限らず、媒体の切断片を収容可能な収容容器を備える記録装置においては、概ね共通したものとなっている。
本発明は、こうした実情に鑑みてなされたものであり、その目的は、簡易な構成で収容容器の取り外しを促すことができる記録装置を提供することにある。
【課題を解決するための手段】
【０００７】
以下、上記課題を解決するための手段及びその作用効果について記載する。
上記課題を解決する記録装置は、媒体に記録を行う記録部と、該記録部を収容する筐体部と、手掛部を有して、前記筐体部に引き出し可能に収容される引き出しユニットと、前記筐体部内において前記媒体を切断するカッターと、該カッターによる切断に伴って生じる前記媒体の切断片を収容可能な収容部を有して、前記筐体部に着脱可能に取り付けられる収容容器と、を備え、前記収容容器は、前記筐体部への取付時に、前記筐体部に収容された前記引き出しユニットの前記手掛部を覆う一方、前記筐体部から取り外されることで、前記筐体部に収容された前記引き出しユニットの前記手掛部を露出させる。
【０００８】
この構成によれば、引き出しユニットの手掛部は、収容容器が筐体部から取り外されることで露出するので、引き出しユニットを引き出す前に収容容器の取り外しを促すことができる。すなわち、収容容器の取付位置を、手掛部を覆う位置に設定することで、部材点数の増加を抑制して、簡易な構成で収容容器の取り外しを促すことができる。
【０００９】
上記記録装置において、前記引き出しユニットは、前記媒体を円筒状に巻き重ねたロール体を回転可能な状態で支持する側壁部と、前記筐体部からの引き出し方向において前記ロール体よりも前方に位置する前板部とを有し、前記手掛部は前記前板部に配置され、かつ、前記前板部は前記ロール体の回転中心よりも重力方向において下方に配置されている。
【００１０】
この構成によれば、引き出しユニットはロール体を回転可能な状態で支持するので、引き出しユニットを引き出してロール体を交換するタイミングで、収容容器の取り外しを促すことができる。また、前板部はロール体の回転中心よりも重力方向において下方に配置されているので、前板部の上方において容易にロール体の交換作業を行うことができる。さらに、手掛部は前板部に配置されているので、筐体部の内奧側まで手を伸ばすことなく、手を掛けることができる。
【００１１】
上記記録装置において、前記引き出しユニットは前記筐体部に形成された開口部を通じて引き出され、前記収容容器は、前記筐体部への取付時に前記開口部を覆う外壁部と、該外壁部との間に前記収容部を形成する内壁部とを有している。
【００１２】
この構成によれば、収容容器は、筐体部への取付時に外壁部が開口部を覆うので、筐体部の開口部を覆うカバーを別途備える必要がない。したがって、部材点数の増加を抑制することができる。
【００１３】
上記記録装置において、前記収容容器の取付時に、前記開口部が前記外壁部及び前記前板部によって覆われ、かつ、前記外壁部の外面は前記前板部の外面と面一になる。
この構成によれば、収容容器の取付時に、開口部は外壁部及び前板部によって覆われ、かつ、外壁部の外面は前板部の外面と面一になるので、収容容器が筐体部に取り付けられた状態においては、前板部に手を掛けにくい。したがって、収容容器を取り外すことなく引き出しユニットが引き出されるのを抑制することができる。また、収容容器の取付時には、開口部を覆う収容容器の外壁部と引き出しユニットの前板部とが面一になるので、筐体としての統一感を出すことができる。
【００１４】
上記記録装置において、前記収容容器は、前記筐体部に収容された前記引き出しユニットの前記前板部と重力方向に並ぶ位置に取り付けられ、前記外壁部と前記前板部とは、重力方向及び前記引き出しユニットの引き出し方向の双方と交差する幅方向における長さが等しい。
【００１５】
この構成によれば、収容容器の筐体部への取付時に、重力方向に並ぶ引き出しユニットの前板部と収容容器の前板部とは幅方向における長さが等しいので、筐体としての統一感を出すことができる。
【図面の簡単な説明】
【００１６】
【図１】第１実施形態の記録装置の構成を示す斜視図。
【図２】第１実施形態の記録装置の構成を示す断面図。
【図３】第１実施形態の記録装置の作用を説明するための斜視図。
【図４】第２実施形態の記録装置の構成を示す斜視図。
【図５】第２実施形態の記録装置の構成を示す断面図。
【発明を実施するための形態】
【００１７】
以下、記録装置の実施形態について、図を参照して説明する。
（第１実施形態）
図１に示すように、本実施形態の記録装置１１は、略矩形箱状の筐体部１２を備えている。筐体部１２は、第１収容部１３と、第１収容部１３の上側に配置された第２収容部１４と、第１収容部１３の後側に配置された第３収容部１５とを備えている。なお、本実施形態においては、重力方向Ｇに沿う上下方向Ｚと交差（本実施形態では直交）する第２収容部１４と第３収容部１５との並び方向を前後方向Ｙとする。また、重力方向Ｇ及び前後方向Ｙと交差（本実施形態では直交）する第１収容部１３及び第２収容部１４の長手方向を幅方向Ｘとする。
【００１８】
筐体部１２には、第１収容部１３の幅方向Ｘにおける中央付近に形成された開口部２５を通じて、引き出しユニット１６が引き出し可能に収容される。引き出しユニット１６は、筐体部１２への収容時に、外面（本実施形態では前面）が露出する前板部３５を有している。なお、前板部３５は必ずしも単一の板状部材から形成される必要はなく、例えば外面側と内面側とで素材の異なる部材を用いるなど、複数の部材を組み合わせることで構成してもよい。
【００１９】
筐体部１２に収容された引き出しユニット１６の前板部３５と重力方向Ｇに並ぶ位置であって、前板部３５の上方となる位置には、収容容器１７が着脱可能に取り付けられる。収容容器１７は、筐体部１２への取付時に開口部２５を覆う外壁部２６と、外壁部２６との間に収容部２８を形成する内壁部２７とを有している。収容容器１７の筐体部１２への取付時に、内壁部２７は筐体部１２内に配置される。
【００２０】
引き出しユニット１６は、筐体部１２からの引き出し時に手を掛けることができるように、前板部３５の内面側に配置された手掛部３８を有している。手掛部３８は、例えば前板部３５の幅方向Ｘにおける第１端側（図１では右側）に形成された凹部である。手掛部３８は、必ずしも前板部３５と一体形成される必要はなく、前板部３５に別の部材を組み合わせることで手掛部３８を形成してもよい。
【００２１】
収容容器１７は、筐体部１２への取付時に、筐体部１２に収容された引き出しユニット１６の手掛部３８を覆う一方、筐体部１２から取り外されることで筐体部１２に収容された引き出しユニット１６の手掛部３８を露出させる。
【００２２】
収容容器１７の取付時に、開口部２５は外壁部２６及び前板部３５によって覆われる。このとき、外壁部２６の外面は前板部３５の外面と面一になる。すなわち、収容容器１７の外壁部２６及び引き出しユニット１６の前板部３５は、記録装置１１の筐体として機能する。なお、特許請求の範囲及び本実施形態でいう「面一」とは、外壁部２６の外面と前板部３５の外面との間に全く段差がない完全な面一状態のみを指すのではなく、目視によってほぼ面一に見える状態も含む。
【００２３】
外壁部２６と前板部３５とは、重力方向Ｇ及び引き出しユニット１６の引き出し方向Ｐ（本実施形態では前方向）の双方と交差する幅方向Ｘにおける長さが等しい。また、外壁部２６は、前板部３５よりも重力方向Ｇにおける長さが長い。
【００２４】
収容容器１７の内壁部２７は、幅方向Ｘの両端側において外壁部２６と接合される一対の側壁３０と、外壁部２６の上端部との間に受容口２９を形成する略矩形板状の内壁３１と、内壁３１の下端側から下方に向けて外壁部２６に近接する方向に湾曲する湾曲壁３２と、外壁部２６の下端部と接合される底壁３９とを有している。また、収容容器１７は、内壁３１の幅方向Ｘにおける両端側に取り付けられた一対の金属片３４を有している。
【００２５】
収容容器１７は、底壁３９の幅方向Ｘにおける両端側に、下方に向けて突出する一対の係合凸部３３を有している。一方、引き出しユニット１６の前板部３５は、幅方向Ｘの両端側となる位置に、上方に向けて開口する一対の支持凹部３６を有している。収容容器１７は、筐体部１２への取付時に、係合凸部３３が支持凹部に係合した状態で、前板部３５に支持される。
【００２６】
引き出しユニット１６は、前板部３５との間に挿入口４４を形成する経路形成部材４５を支持している。経路形成部材４５は、幅方向Ｘにおける第２端側（図１では左側）から第１端側（図１では右側）に向けて延びるガイド孔４６を有している。
【００２７】
経路形成部材４５は、ガイド孔４６に沿って幅方向Ｘに移動可能な位置決め部材４７を支持している。位置決め部材４７は、ガイド孔４６よりも引き出し方向Ｐに突出した突部を有している。なお、引き出しユニット１６において、手掛部３８は位置決め部材４７の突部の可動範囲よりも幅方向Ｘの第１端側（図１では右側）に配置されている。
【００２８】
収容容器１７を筐体部１２から取り外して、手掛部３８に手を掛けて引き出しユニット１６を引き出し方向Ｐに引き出すと、引き出しユニット１６が有する一対の側壁部４３が筐体部１２の外側に出てくる。側壁部４３は、例えば用紙のようなシート状の媒体Ｓを円筒状に巻き重ねたロール体Ｒを回転可能な状態で支持する。なお、前板部３５は、筐体部１２からの引き出し方向Ｐにおいてロール体Ｒ及び側壁部４３よりも前方に位置する。
【００２９】
引き出しユニット１６には、巻き数や幅方向Ｘにおける長さ（幅）が異なる複数のロール体Ｒのうちの１つが、幅方向Ｘの第１端側に位置合わせされた状態で、交換可能に装填される。そして、幅方向Ｘにおけるガイド孔４６の長さ及び位置決め部材４７の可動範囲は、引き出しユニット１６に装填可能なロール体Ｒの最小幅に応じて設定される。
【００３０】
第１収容部１３の幅方向Ｘにおける両端側には、開閉カバー１８が回動可能に取り付けられている。開閉カバー１８は下端側に設けられた回動軸１９を中心に上端側が回動することで、図１に示す閉位置と、上端部が前方へ回動して内部が露出する開位置とに配置される。そして、開閉カバー１８が開位置に配置されると、液体の一例としてのインクを収容するインクカートリッジ（図示略）が着脱可能に装着されるカートリッジホルダー（図示略）が露出する。
【００３１】
第２収容部１４の前側には、収容容器１７及び開閉カバー１８の上方となる位置に、筐体部１２を構成するフレーム部材２０が配置されている。フレーム部材２０の幅方向Ｘにおける中央付近には、斜め下方に向けて開口する排出口２１が形成されている。フレーム部材２０において排出口２１の下方には、下端側から排出口２１側となる上方に向けて内側に凹むように湾曲した案内部２２が形成されている。また、フレーム部材２０には、案内部２２の下方であって、案内部２２よりも筐体部１２の内奥側となる位置に、一対の磁石３７が取り付けられている。
【００３２】
案内部２２の下端部には、幅方向Ｘにおける中央付近に、下方及び前方に向けて開口する下端側凹部２３が形成されている。そして、収容容器１７を筐体部１２に取り付けた場合には、下端側凹部２３を通じて外壁部２６の上端部が露出する。
【００３３】
フレーム部材２０には、幅方向Ｘにおける両端側に、下端側に向かうほど筐体部１２の内側に向けて凹むように、前方及び収容容器１７側となる内方に向けて開口する一対の凹み部２４が形成されている。そして、凹み部２４を通じて、筐体部１２に取り付けられた収容容器１７の幅方向Ｘにおける両端側及び閉位置にある開閉カバー１８の上端部が露出する。
【００３４】
図２に示すように、引き出しユニット１６は、ロール体Ｒから巻き解かれた媒体Ｓを第２収容部１４側に向かう搬送方向に搬送する搬送ローラー対５１，５２，５７を保持している。また、第２収容部１４には、媒体Ｓを排出口２１に向かう搬送方向に搬送する搬送ローラー対５８，５９，６０と、搬送ローラー対５８よりも搬送方向上流側に配置された中間ローラー６１と、搬送ローラー対６０よりも搬送方向下流側に配置された排出ローラー６２とが収容されている。なお、前板部３５及び搬送ローラー対５１，５２は、ロール体Ｒの回転中心ＣＲよりも重力方向Ｇにおいて下方に配置されている。
【００３５】
記録装置１１は、第２収容部１４内に、液体の一例であるインクを噴射することで媒体Ｓに記録を行う記録部５４と、筐体部１２内において媒体Ｓを切断するカッター５６とを備えている。
【００３６】
記録部５４は、幅方向Ｘに往復移動可能なキャリッジ６３と、キャリッジ６３の下部に配置された液体噴射部６４とを有している。記録部５４において記録（印刷）が施された媒体Ｓは、単位長さ毎にカッター５６によって切断されることで、単票紙ＣＰになる。そして、記録が完了した単票紙ＣＰは、排出口２１を通じて筐体部１２外に排出される。
【００３７】
カッター５６が媒体Ｓを切断する際には、先に切断された単票紙ＣＰの後端と、次に切断される単票紙ＣＰの前端との間の余白部分などを切り落とすことで、その余白部分の切断片が切りくずとして下方に落下する。このとき、カッター５６の下方には、収容容器１７の受容口２９及び収容部２８が配置されている。そのため、収容容器１７は、カッター５６による切断に伴って生じる媒体Ｓの切断片の収容が可能である。
【００３８】
次に、以上のように構成された第１実施形態の記録装置１１の作用について説明する。
引き出しユニット１６にロール体Ｒを装填する場合には、図１に示すように引き出しユニット１６を引き出して、ロール体Ｒを側壁部４３にセットする。そして、ロール体Ｒから巻き解いた媒体Ｓの先端を挿入口４４に手差しする。続いて、位置決め部材４７を移動させて、媒体Ｓを幅方向Ｘにおける第１端側に位置決めする。
【００３９】
ここで、引き出しユニット１６において、手掛部３８は位置決め部材４７の突部の可動範囲よりも幅方向Ｘの第１端側（図１では右側）に配置されているので、手掛部３８に手を掛けるときに、引き出し方向Ｐに突出した位置決め部材４７がじゃまになることがない。
【００４０】
引き出しユニット１６へのロール体Ｒの装填が完了すると、引き出しユニット１６を筐体部１２に収容して、収容容器１７を取り付ける。収容容器１７の筐体部１２への取付時には、下端側に形成された係合凸部３３を引き出しユニット１６の支持凹部３６に係合させ、その後、係合凸部３３を支点として収容容器１７の上端側をフレーム部材２０側に向けて傾動させる。すると、収容容器１７は係合凸部３３を介して前板部３５に支持されると同時に、金属片３４が磁石３７に引き寄せられることで、受容口２９が上側を向いた自立状態が保持される。
【００４１】
図３に示すように、記録装置１１は引き出しユニット１６が筐体部１２に収容され、かつ、収容容器１７が筐体部１２に取り付けられた状態で記録を行う。そして、収容容器１７が筐体部１２に取り付けられた状態では、図１及び図２に示す手掛部３８は視認することも接触することもできない。
【００４２】
そのため、図１に示すように引き出しユニット１６にロール体Ｒを装填したり、ロール体Ｒを交換したりする場合には、まず、収容容器１７を筐体部１２から取り外すことになる。これにより、筐体部１２に収容された引き出しユニット１６の手掛部３８が露出するので、手掛部３８に手を掛けて、引き出しユニット１６を引き出し方向Ｐに引き出すことが可能になる。
【００４３】
なお、収容容器１７を筐体部１２から取り外す場合には、図３に示すように下端側凹部２３を通じて露出した収容容器１７の上端部に手を掛けたり、凹み部２４を通じて露出した収容容器１７の幅方向Ｘにおける端部に手を掛けたりすることが可能である。また、インクカートリッジの着脱を行う場合には、凹み部２４を通じて露出した開閉カバー１８の上端部に手を掛けて、開閉カバー１８を回動させることが可能である。
【００４４】
ところで、図２に示すように、記録装置１１においてカッター５６による媒体Ｓの切断を行うと、収容容器１７の収容部２８には媒体Ｓの切断片が溜まっていく。そのため、収容部２８が一杯になる前に、収容部２８に溜まった切断片を捨てるなどして、収容容器１７の中身を出す必要がある。
【００４５】
ここで、収容容器１７は、内壁部２７の上端側が下端側よりも収容部２８の外側に突出した形状をなすために、筐体部１２から取り外すと自立しない。そのため、ユーザーは、収容容器１７を取り外した時には、収容部２８を空にするために、切断片を捨てることになる。すなわち、記録装置１１は、収容容器１７で手掛部３８を覆うことで、引き出しユニット１６を引き出す前に収容容器１７を取り外すことを促し、さらに、収容容器１７の取り外し時には、収容部２８の中身を出すことを促す構成を備える。
【００４６】
上記実施形態によれば、以下のような効果を得ることができる。
（１）引き出しユニット１６の手掛部３８は、収容容器１７が筐体部１２から取り外されることで露出するので、引き出しユニット１６を引き出す前に収容容器１７の取り外しを促すことができる。すなわち、収容容器１７の取付位置を、手掛部３８を覆う位置に設定することで、部材点数の増加を抑制して、簡易な構成で収容容器１７の取り外しを促すことができる。
【００４７】
（２）引き出しユニット１６はロール体Ｒを回転可能な状態で支持するので、引き出しユニット１６を引き出してロール体Ｒを交換するタイミングで、収容容器１７の取り外しを促すことができる。また、前板部３５はロール体Ｒの回転中心ＣＲよりも重力方向Ｇにおいて下方に配置されているので、重いロール体Ｒを高く持ち上げなくても、前板部３５の上方において容易にロール体Ｒの交換作業を行うことができる。さらに、手掛部３８は前板部３５の内面側に配置されているので、筐体部１２の内奧側まで手を伸ばすことなく、手を掛けることができる。
【００４８】
（３）収容容器１７は、筐体部１２への取付時に外壁部２６が開口部２５を覆うので、筐体部１２の開口部２５を覆うカバーを別途備える必要がない。したがって、部材点数の増加を抑制することができる。
【００４９】
（４）収容容器１７の取付時に、開口部２５は外壁部２６及び前板部３５によって覆われ、かつ、外壁部２６の外面は前板部３５の外面と面一になるので、収容容器１７が筐体部１２に取り付けられた状態においては、前板部３５に手を掛けにくい。したがって、収容容器１７を取り外すことなく引き出しユニット１６が引き出されるのを抑制することができる。また、収容容器１７の取付時には、開口部２５を覆う収容容器１７の外壁部２６と引き出しユニット１６の前板部３５とが面一になるので、記録装置１１の筐体としての統一感を出すことができる。
【００５０】
（５）収容容器１７の筐体部１２への取付時に、重力方向Ｇに並ぶ引き出しユニット１６の前板部３５と収容容器１７の前板部３５とは幅方向Ｘにおける長さが等しいので、記録装置１１の筐体としての統一感を出すことができる。
【００５１】
（第２実施形態）
次に、本発明の第２実施形態について、図４及び図５を参照して説明する。
図４に示すように、本実施形態の記録装置１１においては、第１実施形態の収容容器１７に媒体受け部材６９が一体化されている点が、第１実施形態と異なっている。図４及び図５においては、媒体受け部材６９の構成を明示するために、図１〜図３に示す引き出しユニット１６の図示を省略している。
【００５２】
媒体受け部材６９は、下端側に向かうほど前方に突出するように傾斜した案内板部７０と、案内板部７０の下端側から上方に向けて屈曲するように形成された媒体受け部７１と、案内板部７０の幅方向Ｘにおける両端側に形成された一対の接続板部７２とを有している。対をなす接続板部７２は、上方に向けて突設された一対の係止鈎部７３と、内壁３１側に向けて延設された一対の挟持部７４とを有している。そして、媒体受け部材６９は、案内板部７０が外壁部２６を覆い、かつ、接続板部７２及び挟持部７４が側壁３０を挟持する態様で収容容器１７に取り付けられることで、収容容器１７と一体化されている。
【００５３】
フレーム部材２０は、案内部２２の幅方向Ｘにおける両端側であって、案内部２２と凹み部２４との間に、隙間を有している。そして、媒体受け部材６９は、収容容器１７と一緒に筐体部１２に取り付けられる時に、案内部２２と凹み部２４との間の隙間に係止鈎部７３が挿通される。
【００５４】
図５に示すように、フレーム部材２０は、案内部２２の幅方向Ｘにおける両端側の隙間に、上方に向けて突設された一対の支持突部７５を有している。そして、収容容器１７と一体化された媒体受け部材６９は、筐体部１２への取付時に、隙間に挿通された係止鈎部７３がフレーム部材２０の支持突部７５に係止される。
【００５５】
次に、以上のように構成された第２実施形態の記録装置１１の作用について説明する。
図４に二点鎖線で示すように、媒体受け部材６９と一体化された収容容器１７が筐体部１２に取り付けられると、案内部２２の下方に案内板部７０が配置される。そして、排出口２１を通じて筐体部１２内から排出された単票紙ＣＰは、案内部２２によって案内板部７０に向かって案内された後、案内板部７０に沿って媒体受け部７１まで滑り落ちる。したがって、記録が完了した単票紙ＣＰを床面に落下させることなく、案内板部７０及び媒体受け部７１によって受け止めることが可能になる。
【００５６】
以上説明した第２実施形態によれば、上記（１）〜（５）に加えて、以下のような効果を得ることができる。
（６）媒体受け部材６９は収容容器１７よりも前方に突出しているので、媒体受け部材６９を把持することで、筐体部１２から収容容器１７を容易に取り外すことができる。
【００５７】
（７）筐体部１２から収容容器１７を取り外した時に、媒体受け部材６９が収容容器１７を支えることで、収容容器１７を自立させることができる。
なお、上記第２実施形態は以下のように変更してもよい。
【００５８】
・媒体受け部材６９は収容容器１７と一体形成してもよい。
・媒体受け部材６９が単票紙ＣＰを収容するための収容凹部を有してもよい。
・収容容器１７の金属片３４及びフレーム部材２０の磁石３７を備えなくてもよい。
【００５９】
さらに、上記各実施形態は以下のように変更してもよい。
・切断片は破棄される切りくずに限らず、収容容器１７が単票紙ＣＰを収容する構成としてもよい。
【００６０】
・カッター５６で切断された媒体Ｓに対して記録部５４が記録を行ってもよい。
・引き出しユニット１６がインクカートリッジを着脱可能に装着するためのカートリッジホルダーを保持するようにしてもよい。この構成によれば、インクカートリッジを交換するタイミングで、収容容器１７の取り外しを促すことができる。
【００６１】
・記録装置１１が予め所定の長さにカットされた単票紙ＣＰに印刷を行う構成にしてもよい。この場合には、引き出しユニット１６が印刷前の単票紙ＣＰを保持する構成にしてもよい。この構成によれば、単票紙ＣＰを補給するために引き出しユニット１６を引き出すタイミングで、収容容器１７の取り外しを促すことができる。
【００６２】
・手掛部３８は前板部３５に凹設された凹部に限らず、前板部３５に突設された把持部であってもよいし、板状の前板部３５の内面側を変形することなく手掛部３８として使用してもよい。
【００６３】
・外壁部２６と前板部３５とは、幅方向Ｘにおける長さが異なってもよい。
・収容容器１７の取付時に外壁部２６の外面と前板部３５の外面とが面一にならなくてもよい。この場合にも、例えば筐体部１２、外壁部２６及び前板部３５の各外面に同様の表面処理を施したり、同様の着色を施したり、あるいは、各外面が連続する平面や曲面を形成することで、記録装置１１の筐体としての統一感を出すことが可能である。
【００６４】
・引き出しユニット１６が重力方向Ｇに延びる手掛部３８を有して、ユーザーが手の平を重力方向Ｇ以外の方向（例えば、横方向となる幅方向Ｘ）に向けた状態で手掛部３８に手を掛けるようにしてもよい。また、このような場合には、外壁部２６と前板部３５とが幅方向Ｘに並ぶように、収容容器１７の取付位置を設定してもよい。
【００６５】
・例えば、収容容器１７の一部または全部を透明な部材で構成するなどして、収容容器１７の筐体部１２への取付時に、手掛部３８の一部または全部が視認可能な構成としてもよい。この構成によれば、収容容器１７の取付時に手掛部３８に手を掛けることはできないものの、手掛部３８の位置を視認することができるので、ユーザーに引き出しユニット１６の操作方法を示唆することができる。
【００６６】
・前板部３５の下端側に手掛部３８を設けて、ユーザーが手の平を上方向に向けた状態で手掛部３８に手を掛けるようにしてもよい。この場合には、前板部３５の下方に収容容器１７の取付位置を設定すればよい。
【００６７】
・収容容器１７の取付時に前板部３５が筐体部１２外に露出せず、収容容器１７の取り外しによって引き出しユニット１６が視認可能な状態になるようにしてもよい。また、収容容器１７の取付時に前板部３５が筐体部１２外に露出しない場合には、手掛部３８を前板部３５の前面側や上面側など、内面側でない位置に配置してもよい。
【００６８】
・筐体部１２に取り付けられた収容容器１７を覆うカバーを備えて、このカバーを取り外した場合に、収容容器１７が取り外し可能な状態になるようにしてもよい。
・前板部３５の上端がロール体Ｒの回転中心ＣＲよりも重力方向Ｇにおける上方に配置されてもよい。
【００６９】
・媒体Ｓは用紙に限らず、プラスチックフィルムや板材などでもよい。あるいは、捺染装置などに用いられる布帛であってもよい。
・上記各実施形態において、記録装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００７０】
１１…記録装置、１２…筐体部、１６…引き出しユニット、１７…収容容器、２５…開口部、２６…外壁部、２７…内壁部、２８…収容部、３５…前板部、３８…手掛部、４３…側壁部、５４…記録部、５６…カッター、ＣＲ…回転中心、Ｇ…重力方向、Ｐ…引き出し方向、Ｒ…ロール体、Ｓ…媒体、Ｘ…幅方向。
【図１】
2014124803.tif 000003
【図２】
2014124803.tif 000004
【図３】
2014124803.tif 000005
【図４】
2014124803.tif 000006
【図５】
2014124803.tif 000007